(57)【要約】  折り曲げ部は、主板の矩形の四辺のそれぞれから第１面側へ立ち上がるように折り曲げられている。主板には、第１面から第２面へ貫通し、かつ複数の発電素子のそれぞれに向けて太陽光を透過する複数の透過孔が設けられている。主板には、第１面から第２面へ貫通し、かつ複数の透過孔より大きな寸法を有する第１挿入孔が設けられている。
2020079727.tif 000002
【特許請求の範囲】
【請求項１】
集光型太陽光発電モジュールに含まれる複数の発電素子以外の領域にて太陽光を遮る遮蔽板であって、
互い対向する第１面および第２面を有する矩形の主板と、
前記主板の矩形の四辺のそれぞれから前記第１面側へ立ち上がるように折り曲げられた折り曲げ部と、を備え、
前記主板には、前記第１面から前記第２面へ貫通し、かつ前記複数の発電素子のそれぞれに向けて太陽光を透過する複数の透過孔が設けられており、
前記主板には、前記第１面から前記第２面へ貫通し、かつ前記複数の透過孔より大きな寸法を有する第１挿入孔が設けられている、集光型太陽光発電モジュール用遮蔽板。
【請求項２】
前記主板には、前記第１面から前記第２面へ貫通し、かつ前記複数の透過孔より大きな寸法を有する第２挿入孔が設けられている、請求項１に記載の集光型太陽光発電モジュール用遮蔽板。
【請求項３】
前記主板は、長方形の外形を有し、
前記第１挿入孔と前記第２挿入孔とは、長方形の前記主板の長辺方向に沿って並んでおり、
前記第１挿入孔と前記第２挿入孔との各々は、長方形の前記主板の長辺方向に沿う寸法が長方形の前記主板の短辺方向に沿う寸法よりも大きい形状を有している、請求項２に記載の集光型太陽光発電モジュール用遮蔽板。
【請求項４】
前記第１挿入孔と前記第２挿入孔とは、長方形の前記主板の長辺方向の中心線に対して線対称に配置されている、請求項２に記載の集光型太陽光発電モジュール用遮蔽板。
【請求項５】
前記複数の透過孔は、仮想の矩形の４つの角部のそれぞれに配置された４つの透過孔を有し、
前記第１挿入孔は、前記仮想の矩形の対角線が交わる部分に配置されている、請求項１に記載の集光型太陽光発電モジュール用遮蔽板。
【請求項６】
前記折り曲げ部の先端にはバリがあり、
前記折り曲げ部は、前記第１面に連なる第３面と、前記第２面に連なりかつ前記第３面と対向する第４面とを有し、
前記バリは、前記第３面から前記第４面とは反対側に突き出している、請求項１に記載の集光型太陽光発電モジュール用遮蔽板。
【請求項７】
前記主板には、前記第１面から前記第２面へ貫通し、かつ前記複数の透過孔より大きな寸法を有する把持用孔が設けられており、
前記把持用孔は、長方形の前記主板の短辺方向の中心線上に配置されており、
前記把持用孔と前記第１挿入孔との間隔は、前記複数の透過孔のピッチ以上で、かつ前記複数の透過孔のピッチの３倍未満である、請求項１に記載の集光型太陽光発電モジュール用遮蔽板。
【請求項８】
請求項１に記載の集光型太陽光発電モジュール用遮蔽板と、
前記複数の透過孔のそれぞれに対応して設けられた前記複数の発電素子と、
前記複数の発電素子に電気的に接続された配線と、
前記集光型太陽光発電モジュール用遮蔽板、前記複数の発電素子および前記配線を内部に収納する筐体と、を備えた、集光型太陽光発電モジュール。
【請求項９】
前記第１挿入孔は、平面視において前記配線が延びる延在方向に直交する直交方向に前記配線に対してずれて配置されており、
前記第１挿入孔は、前記延在方向に沿う寸法が前記直交方向に沿う寸法よりも大きい形状を有している、請求項８に記載の集光型太陽光発電モジュール。
【請求項１０】
請求項８に記載の集光型太陽光発電モジュールの製造方法であって、
前記集光型太陽光発電モジュール用遮蔽板の前記第１挿入孔に支持棒を挿入することにより、前記支持棒により前記集光型太陽光発電モジュール用遮蔽板を支持する工程と、
前記支持棒から前記集光型太陽光発電モジュール用遮蔽板を取り外して前記筐体の内部に配置する工程とを備えた、集光型太陽光発電モジュールの製造方法。
【発明の詳細な説明】
【技術分野】
【０００１】
本開示は、集光型太陽光発電モジュール用遮蔽板、集光型太陽光発電モジュールおよび集光型太陽光発電モジュールの製造方法に関する。
【背景技術】
【０００２】
従来、太陽光を集光して電力に変換する太陽光発電装置が開発されている。このような集光型の太陽光発電装置は、たとえば特開２００６−３４４６９８号公報（特許文献１）に開示されている。特許文献１には、太陽電池素子の受光領域以外の領域にて太陽光を遮る遮光板が開示されている。この遮光板には、集光した太陽光を透過させて太陽電池素子の受光領域に照射するための透過穴が設けられている。
【先行技術文献】
【特許文献】
【０００３】
【特許文献１】特開２００６−３４４６９８号公報
【発明の概要】
【０００４】
本開示の集光型太陽光発電モジュール用遮蔽板は、集光型太陽光発電モジュールに含まれる複数の発電素子以外の領域にて太陽光を遮る遮蔽板である。この集光型太陽光発電モジュール用遮蔽板は、矩形の主板と、折り曲げ部とを備えている。主板は、互い対向する第１面および第２面を有している。折り曲げ部は、主板の矩形の四辺のそれぞれから第１面側へ立ち上がるように折り曲げられている。主板には、第１面から第２面へ貫通し、かつ複数の発電素子のそれぞれに向けて太陽光を透過する複数の透過孔が設けられている。主板には、第１面から第２面へ貫通し、かつ複数の透過孔より大きな寸法を有する第１挿入孔が設けられている。
【０００５】
本開示の集光型太陽光発電モジュールは、上記の集光型太陽光発電モジュール用遮蔽板と、複数の発電素子と、配線と、筐体とを備えている。複数の発電素子は、複数の透過孔のそれぞれに対応して設けられている。配線は、複数の発電素子に電気的に接続されている。筐体は、集光型太陽光発電モジュール用遮蔽板、複数の発電素子および配線を内部に収納している。
【０００６】
本開示の集光型太陽光発電モジュールの製造方法は、上記の集光型太陽光発電モジュールの製造方法であって、以下の工程を備えている。
【０００７】
集光型太陽光発電モジュール用遮蔽板の第１挿入孔に支持棒を挿入することにより、支持棒により集光型太陽光発電モジュール用遮蔽板が支持される。支持棒から集光型太陽光発電モジュール用遮蔽板が取り外されて筐体の内部に配置される。
【図面の簡単な説明】
【０００８】
【図１】図１は、一実施の形態における太陽光発電装置の構成を示す斜視図である。
【図２】図２は、図１に示す集光型太陽光発電装置に含まれる一実施の形態における集光型太陽光発電モジュールの構成を示す分解斜視図である。
【図３】図３は、図１に示す集光型太陽光発電装置に含まれる一実施の形態における集光型太陽光発電モジュールの構成を示す組立断面図である。
【図４】図４は、図２に示す集光型太陽光発電モジュールに含まれる一実施の形態における集光型太陽光発電モジュール用遮蔽板の構成を示す平面図である。
【図５】図５は、図４の領域ＲＢを拡大して示す部分拡大平面図である。
【図６】図６は、図４の領域ＲＡを拡大して示す部分拡大平面図である。
【図７】図７は、一実施の形態における集光型太陽光発電モジュールの製造方法の第１工程を示す斜視図である。
【図８】図８は、一実施の形態における集光型太陽光発電モジュールの製造方法の第１工程を示す側面図である。
【図９】図９は、一実施の形態における集光型太陽光発電モジュールの製造方法の第２工程を示す断面図である。
【図１０】図１０は、集光型太陽光発電モジュール用遮蔽板を上下に積層した比較例の問題を説明するための断面図である。
【図１１】図１１は、図１０に示す比較例の集光型太陽光発電モジュール用遮蔽板を筐体の内部に収納する際の問題を説明するための断面図である。
【発明を実施するための形態】
【０００９】
［本開示が解決しようとする課題］
集光型太陽光発電モジュールが大型化すると上記遮蔽板の縦横の寸法も大型化する。遮蔽板は、その厚みが比較的薄いため、縦横の寸法が大きくなると撓みやすくなる。このため遮蔽板が大型化すると、遮蔽板を筐体に組み付ける作業が困難となる。
【００１０】
本開示の目的は、筐体への組付けが容易な集光型太陽光発電モジュール用遮蔽板、集光型太陽光発電モジュールおよび集光型太陽光発電モジュールの製造方法を提供することである。
【００１１】
［本開示の効果］
本開示によれば、筐体への組付けが容易な集光型太陽光発電モジュール用遮蔽板、集光型太陽光発電モジュールおよび集光型太陽光発電モジュールの製造方法を実現することができる。
【００１２】
［本開示の実施の形態の説明］
まず、本開示の実施の形態の概要を列記して説明する。
【００１３】
（１）本開示の集光型太陽光発電モジュール用遮蔽板８は、集光型太陽光発電モジュール１０に含まれる複数の発電素子３以外の領域にて太陽光を遮る遮蔽板である。この集光型太陽光発電モジュール用遮蔽板８は、矩形の主板８ａと、折り曲げ部８ｂとを備えている。主板８ａは、互い対向する第１面８ａ１および第２面８ａ２を有している。折り曲げ部８ｂは、主板８ａの矩形の四辺のそれぞれから第１面８ａ１側へ立ち上がるように折り曲げられている。主板８ａには、第１面８ａ１から第２面８ａ２へ貫通し、かつ複数の発電素子３のそれぞれに向けて太陽光を透過する複数の透過孔８ｃが設けられている。主板８ａには、第１面８ａ１から第２面８ａ２へ貫通し、かつ複数の透過孔８ｃより大きな寸法を有する第１挿入孔８ｄ１が設けられている。
【００１４】
上記（１）に係る集光型太陽光発電モジュール用遮蔽板８によれば、折り曲げ部８ｂが設けられている。この折り曲げ部８ｂは、主板８ａの矩形の四辺のそれぞれから第１面８ａ１側へ立ち上がるように折り曲げられている。この折り曲げ部８ｂを設けることにより、主板８ａのみからなる遮蔽板に比較して、本開示の遮蔽板８の強度を高めることが可能となる。これにより遮蔽板８が薄型化かつ大型化されても遮蔽板８は撓みにくくなるため、遮蔽板８を筐体４内に組み付けることが容易となる。
【００１５】
また本開示の遮蔽板８には、第１挿入孔８ｄ１が設けられている。この第１挿入孔８ｄ１は、主板８ａの第１面８ａ１から第２面８ａ２へ貫通し、かつ複数の透過孔８ｃより大きな寸法を有している。このため第１挿入孔８ｄ１に支持棒５１を挿入することにより、遮蔽板８を支持棒５１にて吊り下げるように支持することができる。これにより複数の遮蔽板８を１つの支持棒５１に吊り下げ支持した場合でも、各遮蔽板８同士が干渉し合うことを防止することができるため、各遮蔽板８の折り曲げ部８ｂが変形することを防止できる。よって遮蔽板８を筐体４内に組み付けることが容易となる。
【００１６】
（２）上記（１）に係る集光型太陽光発電モジュール用遮蔽板８では、主板８ａには、第１面８ａ１から第２面８ａ２へ貫通し、かつ複数の透過孔８ｃより大きな寸法を有する第２挿入孔８ｄ２が設けられている。
【００１７】
これにより第１挿入孔８ｄ１と第２挿入孔８ｄ２との各々に支持棒５１を挿入することができる。このため２つの支持棒５１により遮蔽板８を安定して保持することが可能となる。
【００１８】
（３）上記（２）に係る集光型太陽光発電モジュール用遮蔽板８では、主板８ａは、長方形の外形を有している。第１挿入孔８ｄ１と第２挿入孔８ｄ２とは、長方形の主板８ａの長辺方向に沿って並んでいる。第１挿入孔８ｄ１と第２挿入孔８ｄ２との各々は、長方形の主板８ａの長辺方向（Ｘ方向）に沿う寸法Ｌ２が長方形の主板８ａの短辺方向（Ｙ方向）に沿う寸法Ｌ１よりも大きい形状を有している。
【００１９】
これにより第１挿入孔８ｄ１と第２挿入孔８ｄ２との各々を支持棒５１に対して傾斜させた状態で挿入することが容易となる。また第１挿入孔８ｄ１と第２挿入孔８ｄ２との各々に支持棒５１を挿入した状態で、遮蔽板８を支持棒５１に対して傾斜させることが容易となる。よって遮蔽板８の第１挿入孔８ｄ１および第２挿入孔８ｄ２に支持棒５１を挿入する作業が容易となる。
【００２０】
また仮に第１挿入孔８ｄ１と第２挿入孔８ｄ２とが長方形の主板８ａの短辺方向に沿って並んでいる場合、第１挿入孔８ｄ１と第２挿入孔８ｄ２との各々に支持棒５１を挿入すると、遮蔽板８の長辺方向が上下方向となるため、遮蔽板８は支持棒５１に対して傾斜しやすい。これに対して上記においては第１挿入孔８ｄ１と第２挿入孔８ｄ２とは、長方形の主板８ａの長辺方向に沿って並んでいる。このため遮蔽板８を支持棒５１に支持させた状態でも、遮蔽板８の短辺方向が上下方向となるため、遮蔽板８は支持棒５１に対して傾斜しにくい。よって遮蔽板８を支持棒５１に対して安定して支持することができる。
【００２１】
（４）上記（２）に係る集光型太陽光発電モジュール用遮蔽板８では、第１挿入孔８ｄ１と第２挿入孔８ｄ２とは、長方形の主板８ａの長辺方向（Ｘ方向）の中心線Ｃ１に対して線対称に配置されている。
【００２２】
これによりバランスよく遮蔽板８を支持棒５１に支持することが可能となる。また遮蔽板８の左右の向きに関係なく作業を行うことが可能となる。
【００２３】
（５）上記（１）に係る集光型太陽光発電モジュール用遮蔽板８では、複数の透過孔８ｃは、仮想の矩形の４つの角部のそれぞれに配置された４つの透過孔８ｃを有している。第１挿入孔８ｄ１は、上記仮想の矩形の対角線が交わる部分に配置されている。
【００２４】
これにより第１挿入孔８ｄ１と透過孔８ｃとの距離を確保することが容易となる。よって仮に第１挿入孔８ｄ１を太陽光が透過した場合でも、その太陽光の透過光がフレキシブルプリント基板２を底板１に接着するための接着剤２ａに当たりにくくなる。よって接着剤２ａの劣化を抑制することができる。
【００２５】
（６）上記（１）に係る集光型太陽光発電モジュール用遮蔽板８では、折り曲げ部８ｂの先端にはバリ８ｆがある。折り曲げ部８ｂは、第１面８ａ１に連なる第３面８ｂ１と、第２面８ａ２に連なりかつ第３面８ｂ１と対向する第４面８ｂ２とを有している。バリ８ｆは、第３面８ｂ１から第４面８ｂ２とは反対側に突き出している。
【００２６】
これにより遮蔽板８が筐体４の内部に収納された場合でも、遮蔽板８のバリ８ｆが筐体４の周壁部５に当たることがない。このためバリ８ｆが筐体４の周壁部５に当たることで生じる筐体４の削れ片が生じることもなく、その削れ片により発電素子３の発電が妨げられることもない。
【００２７】
（７）上記（１）に係る集光型太陽光発電モジュール用遮蔽板８では、主板８ａには、第１面８ａ１から第２面８ａ２へ貫通し、かつ複数の透過孔８ｃより大きな寸法を有する把持用孔８ｅ１が設けられている。把持用孔８ｅ１は、長方形の主板８ａの短辺方向の中心線Ｃ２上に配置されている。把持用孔８ｅ１と第１挿入孔８ｄ１との間隔Ｄ１は、複数の透過孔８ｃのピッチＰ１以上で、かつ複数の透過孔８ｃのピッチＰ１の３倍未満である。
【００２８】
これにより作業者は把持用孔８ｅ１と挿入孔８ｄ１とに指を差し込んで遮蔽板８を持ち運びなどすることが可能となる。把持用孔８ｅ１と挿入孔８ｄ１との間隔Ｄ１が複数の透過孔８ｃのピッチＰ１未満であると、作業者が把持用孔８ｅ１と挿入孔８ｄ１とに指を差し込みにくくなるとともに、第１挿入孔８ｄ１に支持棒５１を挿入したときに遮蔽板８が支持棒５１に対して傾斜しやすくなる。また把持用孔８ｅ１と第１挿入孔８ｄ１との間隔Ｄ１が複数の透過孔８ｃのピッチＰ１の３倍以上であると、把持用孔８ｅ１と第１挿入孔８ｄ１との間隔Ｄ１が大きくなりすぎて、作業者が把持用孔８ｅ１と第１挿入孔８ｄ１との双方に指を差し込むことが難しくなる。
【００２９】
（８）本開示の集光型太陽光発電モジュール１０では、上記（１）〜（７）のいずれか１つに記載の集光型太陽光発電モジュール用遮蔽板８と、複数の発電素子３と、フレキシブルプリント基板２の配線と、筐体４とを備えている。複数の発電素子３は、複数の透過孔８ｃのそれぞれに対応して設けられている。フレキシブルプリント基板２の配線は、複数の発電素子３に電気的に接続されている。筐体４は、集光型太陽光発電モジュール用遮蔽板８、複数の発電素子３およびフレキシブルプリント基板２の配線を内部に収納している。
【００３０】
本開示の集光型太陽光発電モジュール１０によれば、遮蔽板８を筐体４へ組付けることが容易となり、集光型太陽光発電モジュール１０の組立が容易となる。
【００３１】
（９）上記（８）に係る集光型太陽光発電モジュール１０では、第１挿入孔８ｄ１は、平面視においてフレキシブルプリント基板２の配線が延びる延在方向（Ｘ方向）に直交する直交方向（Ｙ方向）に上記配線に対してずれて配置されている。第１挿入孔８ｄ１は、延在方向（Ｘ方向）に沿う寸法Ｌ２が直交方向（Ｙ方向）に沿う寸法Ｌ１よりも大きい形状を有している。
【００３２】
これにより平面視において第１挿入孔８ｄ１とフレキシブルプリント基板２との距離を確保することが容易となる。よって仮に第１挿入孔８ｄ１を太陽光が透過した場合でも、その太陽光の透過光がフレキシブルプリント基板２を底板１に接着するための接着剤２ａに当たりにくくなる。よって接着剤２ａの劣化を抑制することができる。
【００３３】
（１０）本開示の集光型太陽光発電モジュール１０の製造方法は、上記（８）または（９）の集光型太陽光発電モジュール１０の製造方法であって、以下の工程を備えている。
【００３４】
集光型太陽光発電モジュール用遮蔽板８の第１挿入孔８ｄ１に支持棒５１を挿入することにより、支持棒５１により集光型太陽光発電モジュール用遮蔽板８が支持される。支持棒５１から集光型太陽光発電モジュール用遮蔽板８が取り外されて筐体４の内部に配置される。
【００３５】
本開示の集光型太陽光発電モジュール１０の製造方法によれば、遮蔽板８を筐体４へ組付けることが容易となり、集光型太陽光発電モジュール１０の組立が容易となる。
【００３６】
また複数の遮蔽板８を１つの支持棒５１に吊り下げ支持することにより、狭いスペース内にて複数の遮蔽板８を支持することも可能となる。
【００３７】
［本開示の実施の形態の詳細］
以下、本開示の実施の形態について、図面を参照して詳細に説明する。なお、明細書および図面において、同一の構成要素または対応する構成要素には、同一の符号を付し、重複する説明を繰り返さない。また、図面では、説明の便宜上、構成を省略または簡略化している場合もある。
【００３８】
（集光型太陽光発電装置の構成）
図１は、一実施の形態における集光型太陽光発電装置の構成を示す斜視図である。図１に示されるように、集光型太陽光発電装置３０は、複数の集光型太陽光発電モジュール１０と、架台１１と、複数のサポートアーム１２と、複数のレール１３と、駆動装置１４とを有している。
【００３９】
架台１１は地上に設置される部分である。この架台１１には、複数のサポートアーム１２と、複数のレール１３とが支持されている。複数のサポートアーム１２の各々は上下方向に延びるように配置されている。複数のレール１３の各々は左右方向に延びるように配置されている。
【００４０】
複数のレール１３には、複数の集光型太陽光発電モジュール１０が行列状に配置されている。
【００４１】
複数のサポートアーム１２および複数のレール１３は、架台１１に対して移動可能に構成されている。具体的には駆動装置１４により、複数のサポートアーム１２および複数のレール１３は、架台１１に対して移動させることができる。
【００４２】
たとえば駆動装置１４は、集光型太陽光発電モジュール１０が太陽の動きに追尾動作するように、複数のサポートアーム１２および複数のレール１３を架台１１に対して駆動可能である。これにより日の出から日没までの間、複数の集光型太陽光発電モジュール１０の受光面を太陽と正対させることができる。
【００４３】
またたとえば駆動装置１４は、集光型太陽光発電モジュール１０の受光面が下方を向くように、複数のサポートアーム１２および複数のレール１３を架台１１に対して駆動可能である。これにより集光型太陽光発電モジュール１０の受光面を下方を向けて、当該受光面の汚れを清掃したり（付着した砂などを除去したり）、故障を修理したり、メンテナンスをすることが可能となる。
【００４４】
（太陽光発電モジュールの構成）
図２および図３は、図１に示す集光型太陽光発電装置に含まれる一実施の形態における太陽光発電モジュールの構成を示す分解斜視図および組立断面図である。
【００４５】
図２および図３に示されるように、集光型太陽光発電モジュール１０は、底板１と、複数のフレキシブルプリント基板２と、複数の発電素子３と、筐体４と、遮蔽板８と、レンズ部材９とを主に有している。
【００４６】
筐体４は、内部空間４ａと、その内部空間４ａを挟んで互いに対向する第１開口端４ｂおよび第２開口端４ｃとを有している。第１開口端４ｂおよび第２開口端４ｃの各々において内部空間４ａは外部に開口している。
【００４７】
筐体４は、周壁部５と、中桟部６とを主に有している。周壁部５は、内部空間４ａを取り囲む枠形状を有している。中桟部６は、周壁部５の第１開口端４ｂに取り付けられている。中桟部６は、第１開口端４ｂにより規定される開口部を２つに分離している。
【００４８】
底板１は、平板よりなっており、たとえば金属材料よりなっている。底板１は、筐体４の第１開口端４ｂに取り付けられている。底板１が筐体４に取り付けられた状態において、底板１の表面は筐体４の内部空間４ａに面している。
【００４９】
底板１の表面には、複数のフレキシブルプリント基板２が接着剤２ａ（図３）により接着されている。この複数のフレキシブルプリント基板２には、複数の発電素子３が搭載されている。これにより複数の発電素子３の各々は、底板１に取り付けられている。複数の発電素子３の各々は、フレキシブルプリント基板２の配線に電気的に接続されている。複数の発電素子３は、平面視において行列状に配置されている。
【００５０】
底板１は、筐体４の第１開口端４ｂにたとえば溶着により取り付けられている。底板１は、筐体４の第１開口端４ｂを閉じている。底板１が筐体４に取り付けられた状態において、複数のフレキシブルプリント基板２および複数の発電素子３は筐体４の内部空間４ａ内に位置している。
【００５１】
遮蔽板８は、複数の発電素子３以外の領域にて太陽光を遮る機能を有している。遮蔽板８は、主板８ａと、折り曲げ部８ｂとを有している。主板８ａは、互い対向する第１面８ａ１および第２面８ａ２を有している。主板８ａは、たとえば矩形の外形を有している。折り曲げ部８ｂは、主板８ａの矩形の四辺のそれぞれから第１面８ａ１側へ立ち上がるように折り曲げられている。
【００５２】
遮蔽板８は、１枚の板を折り曲げることにより構成されている。遮蔽板８は、たとえば金属材料よりなっている。遮蔽板８は、たとえばアルミニウムまたはアルミニウム合金よりなっている。遮蔽板８は、複数の透過孔８ｃを有している。複数の透過孔８ｃの各々は、主板８ａを第１面８ａ１から第２面８ａ２へ貫通している。複数の透過孔８ｃは、平面視において行列状に配置されている。複数の透過孔８ｃの各々は、複数の発電素子３のそれぞれに向けて太陽光を透過するためのものである。
【００５３】
なお本明細書において平面視とは、遮蔽板８の第１面８ａ１に垂直な方向から見た視点を意味する。
【００５４】
遮蔽板８は、筐体４の内部空間４ａ内に配置され、かつたとえばビス（図示せず）などにより筐体４に取り付けられている。遮蔽板８が筐体４に取り付けられた状態において、複数の透過孔８ｃの各々は、複数の発電素子３の各々の真上に位置している。
【００５５】
レンズ部材９は、複数のレンズ部９ａを有している。複数のレンズ部９ａの各々は、複数の発電素子３の各々に対応している。つまり１つのレンズ部９ａにより集光された太陽光が、１つの発電素子３に照射される。複数のレンズ部９ａは、平面視において行列状に配置されている。複数のレンズ部９ａの各々は、たとえばフレネルレンズである。
【００５６】
レンズ部材９は、筐体４の第２開口端４ｃに接着剤などにより取り付けられている。レンズ部材９は、筐体４の第２開口端４ｃを閉じている。レンズ部材９の複数のレンズ部９ａの各々により集光された太陽光は、複数の透過孔８ｃを通して発電素子３に照射される。各発電素子３は、対応のレンズ部９ａによって集光された太陽光を受けて、受光量に応じた電力を発生する。
【００５７】
（遮蔽板の構成）
次に、上記集光型太陽光発電モジュール１０に用いられる一実施の形態における遮蔽板８の構成について図３〜図６を用いて説明する。
【００５８】
図４は、図２に示す集光型太陽光発電モジュールに含まれる一実施の形態における集光型太陽光発電モジュール用遮蔽板の構成を示す平面図である。図５および図６は、図４の領域ＲＢおよび領域ＲＡを拡大して示す部分拡大平面図である。
【００５９】
図４に示されるように、主板８ａはたとえば長方形の外形（平面形状）を有している。折り曲げ部８ｂは、長方形の主板８ａの四辺のそれぞれから第１面８ａ１側へ立ち上がるように折り曲げられている。
【００６０】
主板８ａには、上記のとおり複数の透過孔８ｃが設けられている。複数の透過孔８ｃの各々は、主板８ａを第１面８ａ１から第２面８ａ２へ貫通し、かつ複数の発電素子３のそれぞれに向けて太陽光を透過する。
【００６１】
また主板８ａには、複数（たとえば４つ）の挿入孔８ｄ１、８ｄ２、８ｄ３、８ｄ４が設けられている。挿入孔８ｄ１、８ｄ２、８ｄ３、８ｄ４の各々は、主板８ａを第１面８ａ１から第２面８ａ２へ貫通している。挿入孔８ｄ１、８ｄ２、８ｄ３、８ｄ４の各々は、複数の透過孔８ｃより大きな寸法（平面形状）を有している。つまり挿入孔８ｄ１、８ｄ２、８ｄ３、８ｄ４の各々は、複数の透過孔８ｃより大きな平面占有面積を有している。
【００６２】
挿入孔８ｄ１（第１挿入孔）と挿入孔８ｄ２（第２挿入孔）とは、長方形の主板８ａの長辺方向に沿って並んでいる。挿入孔８ｄ３（第３挿入孔）と挿入孔８ｄ４（第４挿入孔）とは、長方形の主板８ａの長辺方向に沿って並んでいる。
【００６３】
挿入孔８ｄ１と挿入孔８ｄ３とは、長方形の主板８ａの短辺方向に沿って並んでいる。挿入孔８ｄ２と挿入孔８ｄ４とは、長方形の主板８ａの短辺方向に沿って並んでいる。
【００６４】
挿入孔８ｄ１と挿入孔８ｄ２との間隔は、挿入孔８ｄ３と挿入孔８ｄ４との間隔に等しい。また挿入孔８ｄ１と挿入孔８ｄ３との間隔は、挿入孔８ｄ２と挿入孔８ｄ４との間隔に等しい。
【００６５】
挿入孔８ｄ１と挿入孔８ｄ２とは、長方形の主板８ａの長辺方向（Ｘ方向）の中心線Ｃ１に対して線対称に配置されている。挿入孔８ｄ３と挿入孔８ｄ４とは、長方形の主板８ａの長辺方向（Ｘ方向）の中心線Ｃ１に対して線対称に配置されている。
【００６６】
挿入孔８ｄ１と挿入孔８ｄ３とは、長方形の主板８ａの短辺方向（Ｙ方向）の中心線Ｃ２に対して線対称に配置されている。挿入孔８ｄ２と挿入孔８ｄ４とは、長方形の主板８ａの短辺方向（Ｙ方向）の中心線Ｃ２に対して線対称に配置されている。
【００６７】
また主板８ａには、複数（たとえば２つ）の把持用孔８ｅ１、８ｅ２が設けられている。把持用孔８ｅ１、８ｅ２の各々は、主板８ａを第１面８ａ１から第２面８ａ２へ貫通している。把持用孔８ｅ１、８ｅ２の各々は、複数の透過孔８ｃより大きな寸法（平面形状）を有している。つまり把持用孔８ｅ１、８ｅ２の各々は、複数の透過孔８ｃより大きな平面占有面積を有している。
【００６８】
把持用孔８ｅ１は、挿入孔８ｄ１と挿入孔８ｄ３との間に位置している。把持用孔８ｅ１、挿入孔８ｄ１および挿入孔８ｄ３は、長方形の主板８ａの短辺方向に沿って並んでいる。
【００６９】
把持用孔８ｅ２は、挿入孔８ｄ２と挿入孔８ｄ４との間に位置している。把持用孔８ｅ２、挿入孔８ｄ２および挿入孔８ｄ４は、長方形の主板８ａの短辺方向に沿って並んでいる。
【００７０】
把持用孔８ｅ１、８ｅ２の各々は、長方形の主板８ａの短辺方向の中心線Ｃ２上に配置されている。把持用孔８ｅ１と把持用孔８ｅ２とは、長方形の主板８ａの長辺方向に沿って並んでいる。
【００７１】
把持用孔８ｅ１と挿入孔８ｄ１との間隔Ｄ１は、複数の透過孔８ｃのピッチＰ１以上で、かつ複数の透過孔８ｃのピッチＰ１の３倍未満である。また把持用孔８ｅ１と挿入孔８ｄ３との間隔、把持用孔８ｅ２と挿入孔８ｄ２との間隔および把持用孔８ｅ２と挿入孔８ｄ４との間隔も、複数の透過孔８ｃのピッチＰ１以上で、かつ複数の透過孔８ｃのピッチＰ１の３倍未満である。
【００７２】
把持用孔８ｅ１と挿入孔８ｄ１との間隔は、把持用孔８ｅ１と挿入孔８ｄ３との間隔、把持用孔８ｅ２と挿入孔８ｄ２との間隔および把持用孔８ｅ２と挿入孔８ｄ４との間隔の各々と等しい。
【００７３】
なお遮蔽板８の長辺方向の外形寸法は、たとえば４００ｍｍ以上１０００ｍｍ以下である。遮蔽板８の短辺方向の外形寸法は、たとえば３００ｍｍ以上９００ｍｍ以下である。遮蔽板８を構成する板の厚みは、たとえば０．２ｍｍ以上０．５ｍｍ以下である。遮蔽板８を構成する板の厚みは、たとえば０．３ｍｍである。
【００７４】
図５に示されるように、主板８ａの互いに接合された辺から折れ曲がった折れ曲がり部８ｂ同士の間にはスリットが設けられている。これにより互いに隣り合う折れ曲がり部８ｂ同士は、互いに接続されておらず、互いに分離している。具体的には長方形の主板８ａの長辺から折り曲げられた折り曲げ部８ｂと長方形の主板８ａの短辺から折り曲げられた折り曲げ部８ｂとは、互いに接続されておらず、互いに分離している。
【００７５】
図６に示されるように、挿入孔８ｄ１は、たとえば楕円形状を有している。具体的には、挿入孔８ｄ１は、長方形の主板８ａの長辺方向（Ｘ方向）に沿う寸法Ｌ２が長方形の主板８ａの短辺方向（Ｙ方向）に沿う寸法Ｌ１よりも大きい形状を有している。挿入孔８ｄ２、８ｄ３、８ｄ４の各々も、挿入孔８ｄ１と同じ形状を有している。
【００７６】
挿入孔８ｄ１の周囲には、４つの透過孔８ｃが配置されている。４つの透過孔８ｃは、仮想の矩形（たとえば正方形）の４つの角部のそれぞれに配置されている。挿入孔８ｄ１は、上記仮想の矩形の対角線が交わる部分に配置されている。挿入孔８ｄ２、８ｄ３、８ｄ４の各々も、挿入孔８ｄ１と同様、４つの透過孔８ｃが配置される仮想の矩形の対角線が交わる部分に配置されている。
【００７７】
上記仮想の矩形の第１辺ＲＥ１と挿入孔８ｄ１との間隔ＬＡ１は、第１辺ＲＥ１の対辺である第２辺ＲＥ２と挿入孔８ｄ１との間隔ＬＡ２と等しい。また上記仮想の矩形の第３辺ＲＥ３と挿入孔８ｄ１との間隔ＬＢ１は、第３辺ＲＥ３の対辺である第４辺ＲＥ４と挿入孔８ｄ１との間隔ＬＢ２と等しい。また間隔ＬＡ１、ＬＡ２は、間隔ＬＢ１、ＬＢ２よりも大きい。
【００７８】
また挿入孔８ｄ１は、平面視においてフレキシブルプリント基板２の配線が延びる延在方向（Ｘ方向）に直交する直交方向（Ｙ方向）に上記配線に対してずれて配置されている。挿入孔８ｄ１は、延在方向（Ｘ方向）に沿う寸法Ｌ２が直交方向（Ｙ方向）に沿う寸法Ｌ１よりも大きい形状を有している。
【００７９】
挿入孔８ｄ１の寸法Ｌ１はたとえば２０ｍｍ以上３５ｍｍ以下であり、寸法Ｌ２はたとえば２４ｍｍ以上４０ｍｍ以下である。また透過孔８ｃのピッチＰ１は、たとえば５０ｍｍ以上８０ｍｍ以下である。
【００８０】
上記延在方向（Ｘ方向）における透過孔８ｃのピッチＰ２は、上記直交方向（Ｙ方向）における透過孔８ｃのピッチＰ１と同じである。ただしピッチＰ２はピッチＰ１と異なっていてもよい。
【００８１】
図３に示されるように、折り曲げ部８ｂは、第１面８ａ１に連なる第３面８ｂ１と、第２面８ａ２に連なりかつ第３面８ｂ１に対向する第４面８ｂ２とを有している。折り曲げ部８ｂの先端にはバリ８ｆがある。バリ８ｆは、第３面８ｂ１から第４面８ｂ２とは反対側に突き出している。バリ８ｆは、第４面８ｂ２にはない。なお折り曲げ部８ｂの第４面８ｂ２は第３面８ｂ１の裏面である。
【００８２】
（太陽光発電モジュールの製造方法）
次に、本実施の形態の太陽光発電モジュールの製造方法について図７〜図９を用いて説明する。
【００８３】
図７および図８は、一実施の形態における集光型太陽光発電モジュールの製造方法の第１工程を示す斜視図および側面図である。図９は、一実施の形態における集光型太陽光発電モジュールの製造方法の第２工程を示す断面図である。
【００８４】
まず１枚の板に複数の透過孔８ｃ、複数の挿入孔８ｄ１〜８ｄ４、複数の把持用孔８ｅ１、８ｅ２などが形成される。この後、この板が折り曲げ加工されることにより、図４に示されるような、主板８ａおよび折り曲げ部８ｂを有する遮蔽板８が形成される。
【００８５】
図７（Ａ）、（Ｂ）に示されるように、この遮蔽板８は、挿入孔８ｄ１、８ｄ２の各々に支持棒５１を挿入することにより、２本の支持棒５１を有する冶具５０に保持される。
【００８６】
図８に示されるように、複数の遮蔽板８が支持棒５１に支持された状態では、複数の遮蔽板８の各々の重量は支持棒５１に作用し、他の遮蔽板８には作用しない。このため遮蔽板８同士が互いに押さえつけ合うことはない。よって遮蔽板８同士が互いに押さえつけ合うことによる遮蔽板８の変形は防止できる。
【００８７】
図８に示された複数の遮蔽板８が冶具５０に保持された状態で、冶具５０が筐体４などとの組立場所へ搬送される。
【００８８】
図９に示されるように、組立場所にて、遮蔽板８が支持棒５１から取り外されて、筐体４の内部に配置される。この後、遮蔽板８が筐体４にビスなどにより固定される。
【００８９】
この後、図３に示されるように、複数の発電素子３を搭載した底板１とレンズ部材９とが遮蔽板８に取り付けられることにより、本実施の形態の集光型太陽光発電モジュール１０が製造される。
【００９０】
なお複数の発電素子３を搭載した底板１は、遮蔽板８を筐体４に取り付ける前に筐体４に取り付けられてもよい。
【００９１】
（本実施の形態の効果）
次に、本実施の形態の作用効果について図１０および図１１に示す比較例と対比して説明する。
【００９２】
本実施の形態によれば、図３および図４に示されるように、遮蔽板８は折り曲げ部８ｂを有している。この折り曲げ部８ｂは、主板８ａの矩形の四辺のそれぞれから第１面８ａ１側へ立ち上がるように折り曲げられている。この折り曲げ部８ｂを設けることにより、主板８ａのみからなる遮蔽板に比較して、本開示の遮蔽板８の強度を高めることが可能となる。これにより遮蔽板８が薄型化かつ大型化されても遮蔽板８は撓みにくくなるため、遮蔽板８を筐体４内に組み付けることが容易となる。
【００９３】
ところで図１０に示す比較例のように、折り曲げ部８ｂを設けた遮蔽板８を搬送の際に上下に重ねることが考えられる。この場合、下の遮蔽板８には、上の遮蔽板８がその重量により押し付けられる。これにより下の遮蔽板８の折り曲げ部８ｂは、上の遮蔽板８により下に押し付けられて、拡がるように変形する。
【００９４】
図１１に示されるように、この遮蔽板８を筐体４の内部に配置する際、折り曲げ部８ｂが拡がっているため遮蔽板８を筐体４の内部へ配置することは難しい。この状態から遮蔽板８を筐体４の内部へ無理やり押し込むと、折り曲げ部８ｂが筐体４の周壁部５を削るおそれがある。周壁部５が削られると、削り片が生じて発電素子３の上に付着するおそれがあり、発電素子３の発電効率を低下させる可能性がある。
【００９５】
また仮に遮蔽板８を筐体４の内部に配置できたとしても、筐体４内の所定の高さ位置に配置できないおそれもある。この場合には、発電素子３に透過する透過光が少なくなり、発電効率が低下する可能性がある。
【００９６】
これに対して本実施の形態では、図４に示されるように遮蔽板８は、挿入孔８ｄ１を有している。この挿入孔８ｄ１は、主板８ａの第１面８ａ１から第２面８ａ２へ貫通し、かつ複数の透過孔８ｃより大きな寸法を有している。このため図７（Ａ）、（Ｂ）に示されるように、挿入孔８ｄ１に支持棒５１を挿入することにより、遮蔽板８を支持棒５１にて吊り下げるように支持することができる。これにより複数の遮蔽板８を１つの支持棒５１に吊り下げ支持した場合でも、図８に示されるように各遮蔽板８同士が干渉し合うことを防止することができる。このため各遮蔽板８の折り曲げ部８ｂが変形することを防止できる。よって遮蔽板８を筐体４内に組み付けることが容易となり、発電効率の低下なども生じない。
【００９７】
また本実施の形態では、図４に示されるように、主板８ａには、第１面８ａ１から第２面８ａ２へ貫通し、かつ複数の透過孔８ｃより大きな寸法を有する挿入孔８ｄ２が設けられている。これにより図７（Ｂ）に示されるように、挿入孔８ｄ１と挿入孔８ｄ２との各々に支持棒５１を挿入することができる。このため２つの支持棒５１により遮蔽板８を安定して保持することが可能となる。
【００９８】
また本実施の形態では、図４に示されるように、主板８ａは、長方形の外形を有している。挿入孔８ｄ１と挿入孔８ｄ２とは、長方形の主板８ａの長辺方向に沿って並んでいる。挿入孔８ｄ１、８ｄ２の各々は、長方形の主板８ａの長辺方向（Ｘ方向）に沿う寸法Ｌ２が長方形の主板８ａの短辺方向（Ｙ方向）に沿う寸法Ｌ１よりも大きい形状を有している。これにより挿入孔８ｄ１、８ｄ２の各々を支持棒５１に対して傾斜させた状態で挿入することが容易となる。また挿入孔８ｄ１、８ｄ２の各々に支持棒５１を挿入した状態で、遮蔽板８を支持棒５１に対して傾斜させることも容易となる。よって挿入孔８ｄ１、８ｄ２に支持棒５１を挿入する作業が容易となる。
【００９９】
また挿入孔８ｄ１と挿入孔８ｄ２とは、長方形の主板８ａの長辺方向に沿って並んでいる。このため遮蔽板８を支持棒５１に支持させた状態で、主板８ａの短辺方向が上下方向となるため、主板８ａの長辺方向が上下方向となる場合と比較して、遮蔽板８は支持棒５１に対して傾斜しにくい。よって遮蔽板８を支持棒５１に対して安定して支持することができる。
【０１００】
また本実施の形態では、図４に示されるように、挿入孔８ｄ１と挿入孔８ｄ２とは、長方形の主板８ａの長辺方向（Ｘ方向）の中心線Ｃ１に対して線対称に配置されている。これによりバランスよく遮蔽板８を支持棒５１に支持することが可能となる。また遮蔽板８の左右の向きに関係なく作業を行うことが可能となる。
【０１０１】
また本実施の形態では、図６に示されるように、複数の透過孔８ｃは、仮想の矩形の４つの角部のそれぞれに配置された４つの透過孔８ｃを有している。挿入孔８ｄ１は、上記仮想の矩形の対角線が交わる部分に配置されている。これにより挿入孔８ｄ１と透過孔８ｃとの距離を確保することが容易となる。よって仮に挿入孔８ｄ１を太陽光が透過した場合でも、その太陽光の透過光がフレキシブルプリント基板２を底板１に接着するための接着剤２ａに当たりにくくなる。よって接着剤２ａの劣化を抑制することができる。
【０１０２】
また本実施の形態では、図３に示されるように、折り曲げ部８ｂの先端にはバリ８ｆがある。バリ８ｆは、第１面８ａ１に連なる折り曲げ部８ｂの第３面８ｂ１から突き出すように設けられている。これにより遮蔽板８を筐体４の内部に収納された場合でも、遮蔽板８のバリ８ｆが筐体４の周壁部５に当たることがない。このためバリ８ｆが筐体４の周壁部５に当たることで生じる筐体４の削れ片が生じることもなく、その削れ片により発電素子３の発電が妨げられることもない。
【０１０３】
また本実施の形態では、図４に示されるように、主板８ａには、第１面８ａ１から第２面８ａ２へ貫通し、かつ複数の透過孔８ｃより大きな寸法を有する把持用孔８ｅ１が設けられている。把持用孔８ｅ１は、長方形の主板８ａの短辺方向の中心線Ｃ２上に配置されている。把持用孔８ｅ１と挿入孔８ｄ１との間隔Ｄ１は、複数の透過孔８ｃのピッチＰ１以上で、かつ複数の透過孔８ｃのピッチＰ１の３倍未満である。これにより作業者は把持用孔８ｅ１と挿入孔８ｄ１とに指を差し込んで遮蔽板８を持ち運びなどすることが可能となる。
【０１０４】
把持用孔８ｅ１と挿入孔８ｄ１との間隔Ｄ１が複数の透過孔８ｃのピッチＰ１未満であると、作業者が把持用孔８ｅ１と挿入孔８ｄ１とに指を差し込みにくくなるとともに、挿入孔８ｄ１に支持棒５１を挿入したときに遮蔽板８が支持棒５１に対して傾斜しやすくなる。また把持用孔８ｅ１と挿入孔８ｄ１との間隔Ｄ１が複数の透過孔８ｃのピッチＰ１の３倍以上であると、把持用孔８ｅ１と挿入孔８ｄ１との間隔Ｄ１が大きくなりすぎて、作業者が把持用孔８ｅ１と挿入孔８ｄ１との双方に指を差し込むことが難しくなる。
【０１０５】
また本実施の形態では、図４に示されるように、挿入孔８ｄ１は、平面視においてフレキシブルプリント基板２の配線が延びる延在方向（Ｘ方向）に直交する直交方向（Ｙ方向）に上記配線に対してずれて配置されている。挿入孔８ｄ１は、延在方向（Ｘ方向）に沿う寸法Ｌ２が直交方向（Ｙ方向）に沿う寸法Ｌ１よりも大きい形状を有している。これにより平面視において挿入孔８ｄ１とフレキシブルプリント基板２との距離を確保することが容易となる。よって仮に挿入孔８ｄ１を太陽光が透過した場合でも、その太陽光の透過光がフレキシブルプリント基板２を底板１に接着するための接着剤２ａに当たりにくくなる。よって接着剤２ａの劣化を抑制することができる。
【０１０６】
また本実施の形態では、図８に示されるように、集光型太陽光発電モジュール用遮蔽板８の挿入孔８ｄ１に支持棒５１を挿入することにより、支持棒５１により集光型太陽光発電モジュール用遮蔽板８が支持される。このように複数の遮蔽板８を１つの支持棒５１に吊り下げ支持することにより、狭いスペース内にて複数の遮蔽板８を支持することも可能となる。
【０１０７】
今回開示された実施の形態はすべての点で例示であって、制限的なものではないと考えられるべきである。本発明の範囲は上記した実施の形態ではなく請求の範囲によって示され、請求の範囲と均等の意味、および範囲内でのすべての変更が含まれることが意図される。
【符号の説明】
【０１０８】
１  底板、２  フレキシブルプリント基板、２ａ  接着剤、３  発電素子、４  筐体、４ａ  内部空間、４ｂ  第１開口端、４ｃ  第２開口端、５  周壁部、６  中桟部、８  遮蔽板、８ａ  主板、８ａ１  第１面、８ａ２  第２面、８ｂ２，８ｂ１  面、８ｂ  折り曲げ部、８ｃ  透過孔、８ｄ１，８ｄ２，８ｄ３，８ｄ４  挿入孔、８ｅ１，８ｅ２  把持用孔、８ｆ  バリ、９  レンズ部材、９ａ  レンズ部、１０  集光型太陽光発電モジュール、１１  架台、１２  サポートアーム、１３  レール、１４  駆動装置、３０  集光型太陽光発電装置、５０  冶具、５１  支持棒、Ｃ１，Ｃ２  中心線、ＲＡ，ＲＢ  領域、ＲＥ１  第１辺、ＲＥ２  第２辺、ＲＥ３  第３辺、ＲＥ４  第４辺。
【図１】
2020079727.tif 000003
【図２】
2020079727.tif 000004
【図３】
2020079727.tif 000005
【図４】
2020079727.tif 000006
【図５】
2020079727.tif 000007
【図６】
2020079727.tif 000008
【図７】
2020079727.tif 000009
【図８】
2020079727.tif 000010
【図９】
2020079727.tif 000011
【図１０】
2020079727.tif 000012
【図１１】
2020079727.tif 000013
【国際調査報告】
2020079727.tif 000014
2020079727.tif 000015
2020079727.tif 000016
2020079727.tif 000017